(57)【特許請求の範囲】
【請求項１】
建物の１階部分に居住空間とビルトインカーポートとを配置した住宅において、
前記建物の正面側に、玄関と前記ビルトインカーポートの入口とが左右に離間して配置され、
前記ビルトインカーポート内に、前記居住空間に連なる車椅子用のスロープが前記居住空間の壁際に寄せられ、かつ前記ビルトインカーポートに対する車の出入り方向に延びて設けられ、
前記スロープは傾斜部分とその傾斜部分に連続する平坦部分とを有し、その平坦部分が前記居住空間に連続し、かつ平坦部分の表面と居住空間の床面とがほぼ同一レベルに設定されており、
前記スロープの傾斜部分の、前記平坦部分と反対側になる先端は、前記ビルトインカーポートの入口に配置されていることを特徴とする住宅。
【請求項２】
請求項１記載の住宅において、前記平坦部分と前記居住空間との境界に位置する出入り口に、その出入り口を開閉できる扉を設けたことを特徴とする住宅。
【請求項３】
請求項２記載の住宅において、前記居住空間には、前記出入り口に連続する領域に縁側が配置され、その縁側の床面と前記平坦部分の表面とがほぼ同一レベルに設定されていることを特徴とする住宅。
【発明の詳細な説明】
【０００１】
【発明の属する技術分野】
本発明は、建物内に車椅子用のスロープを設けた住宅に関する。
【０００２】
【背景の技術】
近年の住宅は、高品質化に加えて大型化や高級化が進み、それに対応して、外観のみならず、建物内部の居住性や利便性、開放感などを持たせることも重要な要素となっている。
【０００３】
また、一方では、高齢化が進み、それに対する対策も必要となってきている。例えば、車椅子を利用する高齢者が居住する住宅では、その居住空間内での移動や外出等に便利なように段差のない床構造とすることが望まれている。段差のない床構造とすることは、高齢者に限らず、車椅子利用の居住者にとって全て同じである。
【０００４】
【発明が解決しようとする課題】
しかし、従来の住宅では、こうした点への配慮が充分とは言えない。特に、車椅子の使用に便利な間取りとしたり、外出時等、建物外に出入りするための車椅子用のスロープ等は殆ど設けられていない。
【０００５】
このスロープを設けることは極めて有用であるが、現実的には皆無に近い。この点を考察してみると、例えば玄関の内外に連なるスロープを設けることは、大きなスペースを必要とする上に、通常の玄関の姿を損なうといった問題まで生じる。
【０００６】
本発明の目的は、ビルトインカーポートに着目し、そのビルトインカーポートとスロープとを有効に組み合わせることによって、玄関としての通常の外観を保ちつつ、車椅子の利用並びに車の利用を便利にし、さらにスロープを含む建物全体の設計も容易にすることができる住宅を提供することにある。
【０００７】
【課題を解決するための手段】
本発明に係る住宅を図面を参照して説明すると、建物１の１階部分に居住空間ＡとビルトインカーポートＢとを配置した住宅において、
前記建物１の正面側に、玄関２と前記ビルトインカーポートＢの入口とが左右に離間して配置され、
前記ビルトインカーポートＢ内に、前記居住空間Ａに連なる車椅子用のスロープＳが前記居住空間Ａの壁際に寄せられ、かつ前記ビルトインカーポートＢに対する車の出入り方向に延びて設けられ、
前記スロープＳは傾斜部分１０とその傾斜部分１０に連続する平坦部分１１とを有し、その平坦部分１１が前記居住空間Ａに連続し、かつ平坦部分１１の表面と居住空間Ａの床面６とがほぼ同一レベルに設定されており、
前記スロープＳの傾斜部分１０の、前記平坦部分１１と反対側になる先端は、前記ビルトインカーポートＢの入口に配置されていることを特徴とする。
【０００８】
このような本発明によれば、ビルトインカーポートＢ内にスロープＳを設けることによって、玄関２としての通常の外観を保ちつつ、車椅子２０の利用並びに車９１の利用を便利にし、さらにスロープＳを含む建物１全体の設計も容易にすることができる。さらに、スロープＳがこのようにビルトインカーポート内にあるので、雨天のときにも大変好都合な構成となる。
【００１０】
また、スロープＳを居住空間Ａに寄せてカーポートに邪魔にならないように、しかも長くて傾斜の小さいスロープを設けることができる。また、スロープＳの存在は車への出入りスペースを兼用する存在となるので、スロープを設けるための実質的なスペースを小さくすることができる。さらに、スロープの存在で、居住空間Ａと車９１、８１との間隔が広がるので、その分、開放感も得られる。
【００１１】
また、平坦部分１１の存在により、居住空間ＡからスロープＳへ移動するとき、及びその逆の移動のときに極めて安全に移動することができる。
【００１２】
また、平坦部分１１と居住空間Ａとの境界に位置する出入り口に、その出入り口を開閉できる扉７を設けた構成とすることもできる。このようにすれば、スロープＳを使用しないときは、通常の居住空間Ａとして利用することができる。
【００１３】
また、居住空間Ａには、出入り口に連続する領域に縁側６が配置され、その縁側６の床面と平坦部分１１の表面とがほぼ同一レベルに設定されている構成とすることもできる。このようにすれば、縁側６の床面を有効利用できる他、車椅子の出入り口としても好適な設計となる。
【００１４】
【発明の実施の形態】
以下、本発明の実施の形態を図面に基づいて説明する。
図１は住宅の１階の間取り図である。
【００１５】
図１において、１は平面略矩形の１階間取りを有する二階建以上の建物（住宅）であり、その１階には、居住空間Ａと、ビルトインカーポートＢが配置されている。建物１の正面右側に玄関２が配置され、その左奥にホール３が配置され、その横に２階への階段４が配置されている。ホール３の奥には和室５が配置されている。これら玄関２、ホール３、階段４、和室５等が１階の居住空間Ａを構成している。
【００１６】
ビルトインカーポートＢは、建物１の正面左側の居住空間Ａの隣りに配置されていて、建物１の奥行き方向に長い駐車スペースを有する。図示例のビルトインカーポートＢは、正面奥に位置する第１駐車スペース８と、その手前に位置する第２駐車スペース９とを有し、２台の車８１、９１が奥行き方向に一列に並ぶ形態で駐車可能なスペースに構成されている。
【００１７】
本実施の形態では、このような構成の建物１のビルトインカーポートＢ内に、居住空間Ａに連なる車椅子用のスロープＳが設けられている。スロープＳは、居住空間Ａの壁際に寄せられ、かつビルトインカーポートＢに対する車８１、９１の出入り方向に直線的に延びている。スロープＳを構成する材料としては、木材、樹脂材料、金属、コンクリート等、必要に応じて選択される。
【００１８】
スロープＳは傾斜部分１０とその傾斜部分１０に連続する平坦部分１１とを有し、その平坦部分１１が居住空間Ａの和室５の縁側６に連続している。そして、平坦部分１１の表面と縁側６の床面とがほぼ同一レベル（同じ高さ）になるように配慮されている。さらに、平坦部分１１と縁側６との境界に位置する出入り口に、その出入り口を開閉できる扉７が設けられている。この扉７はいわゆる縁側６の掃き出し引き戸であり、アルミサッシ等からなる。
【００１９】
スロープＳの傾斜部分１０の、平坦部分１１と反対側になる先端は、駐車スペース９の床面と同一レベルとなった平面部１２が設けられている。この平坦部１０の位置において、車椅子２０から車９１への乗り降りをすることができる。さらにこの平坦部１１からカーポートＢへの入り口１３への移動や、建物正面に設けたスペース１４を経由して玄関２側への移動も任意に行えるように配慮している。
【００２０】
このように本実施の形態の住宅によれば、ビルトインカーポートＢ内にスロープＳを設けることによって、玄関２としての通常の外観を保ちつつ、車椅子２０の利用並びに車９１の利用を便利にし、さらにスロープＳを含む建物１全体の設計も容易にすることができる。さらに、スロープＳがこのようにビルトインカーポート内にあるので、雨天のときにも大変好都合な構成となる。
【００２１】
また、スロープＳは、居住空間Ａの壁際に寄せられ、かつビルトインカーポートＢに対する車８１、９１の出入り方向に延びている構成とすることによって、スロープＳを居住空間Ａに寄せてカーポートに邪魔にならないように、しかも長くて傾斜の小さいスロープを設けることができる。また、スロープＳの存在は車への出入りスペースを兼用する存在となるので、スロープＳを設けるための実質的なスペースを小さくすることができる。さらに、スロープＳの存在で、和室５と車９１、８１との間隔が広がるので、その分、開放感も得られる。この点は、和室５の開放感の表現として効果的である。
【００２２】
また、スロープＳは傾斜部分１０とその傾斜部分１０に連続する平坦部分１１とを有し、その平坦部分１１が和室５の縁側６に連続し、かつ平坦部分１１の表面と居住縁側６の床面とをほぼ同一レベルに設定することによって、和室５からスロープＳへ移動するとき、及びその逆の移動のときに極めて安全に移動することができる。この結果、ともすれば家にこもりがちな居住者も気軽に外に出ることができる。
【００２３】
【発明の効果】
以上のように、本発明の住宅によれば、建物内に配置するビルトインカーポートに着目し、そのビルトインカーポートとスロープとを有効に組み合わせることによって、玄関としての通常の外観を保ちつつ、車椅子の利用並びに車の利用を便利にし、さらにスロープを含む建物全体の設計も容易にすることができる。
【図面の簡単な説明】
【図１】  本発明の実施の形態に係る建物の敷地を含む１階間取り図である。
【符号の説明】
１  建物（住宅）
２  玄関
３  ホール
４  階段
５  和室
６  縁側
７  扉
８  第１駐車スペース
９  第２駐車スペース
１０  傾斜部分
１１  平坦部分
Ａ  居住空間
Ｂ  ビルトインカーポート
Ｓ  スロープ
２０  車椅子
８１、９１  車
【図１】
0004248698.tif 000002